(57)【要約】【課題】表示された情報の視認性の劣化を容易に避ける。【解決手段】照度センサ１３０が測定した入射光の照度が閾値を超えた場合、給電制御部１６０が、主電源部１２０が供給する電力に加えて、光発電部１４０が光発電した電力を照光部１５０へ供給し、照光部１５０が、供給された電力を用いて表示部１１０の背面から携帯通信装置１００の外部へ向けて照光する。【選択図】図１
2012058460.tif 000002
【特許請求の範囲】
【請求項１】
情報を表示する表示装置であって、
背面からの照光により前記情報を表示する表示部と、
当該表示装置へ電力を供給する主電源部と、
当該表示装置への入射光の照度を測定する照度センサと、
前記入射光によって光発電する光発電部と、
前記表示部の背面から当該表示装置の外部へ向けて照光する照光部と、
前記照度センサが測定した照度があらかじめ設定された閾値を超えた場合、前記主電源部が供給する電力に加えて、前記光発電部が光発電した電力を前記照光部へ供給する給電制御部とを有し、
前記照光部は、前記給電制御部から供給された電力を用いて前記照光を行う表示装置。
【請求項２】
請求項１に記載の表示装置において、
前記給電制御部は、前記光発電部が光発電した電力のうち、前記照度センサが測定した照度に応じた電力を前記照光部へ供給することを特徴とする表示装置。
【請求項３】
請求項１に記載の表示装置において、
前記主電源部は、蓄電池であり、
前記給電制御部は、前記光発電部が光発電した電力のうち、前記照度センサが測定した照度に応じた電力を前記照光部へ供給し、残りの電力を前記主電源部に蓄電することを特徴とする表示装置。
【請求項４】
請求項３に記載の表示装置において、
前記給電制御部は、前記表示部が情報を表示していない場合、前記光発電部が光発電した電力を前記照光部へ供給しないことを特徴とする表示装置。
【請求項５】
請求項１に記載の表示装置において、
当該表示装置は、携帯通信装置であることを特徴とする表示装置。
【請求項６】
装置に搭載されたディスプレイに情報を表示する表示方法であって、
当該装置への入射光の照度を測定する処理と、
前記入射光によって光発電する処理と、
前記測定した照度とあらかじめ設定された閾値とを比較する処理と、
前記測定した照度が前記閾値を超えた場合、前記装置に搭載された電源が供給する電力に加えて、前記光発電した電力を用いて、前記ディスプレイの背面から前記装置の外部へ向けて照光する処理と、
前記ディスプレイの背面からの照光により前記情報を表示する処理とを行う表示方法。
【請求項７】
ディスプレイが搭載された装置に、
当該装置への入射光の照度を測定する手順と、
前記入射光によって光発電する手順と、
前記測定した照度とあらかじめ設定された閾値とを比較する手順と、
前記測定した照度が前記閾値を超えた場合、前記装置に搭載された電源が供給する電力に加えて、前記光発電した電力を用いて、前記ディスプレイの背面から前記装置の外部へ向けて照光する手順と、
前記ディスプレイの背面からの照光により情報を表示する手順とを実行させるためのプログラム。
【発明の詳細な説明】
【技術分野】
【０００１】
本発明は、情報を表示する表示装置、表示方法およびプログラムに関する。
【背景技術】
【０００２】
近年、携帯端末をはじめとする、情報をディスプレイに表示する携帯可能な電子装置（以下、表示装置と称する）が普及している。
【０００３】
このような表示装置は、携帯（移動）可能であるため、屋外で使用する場面も多々ある。この表示装置を屋外で使用した場合、例えば、直射日光が当たっている場所等、外部が非常に明るいところでは、背面照光によりディスプレイに表示されている情報を視認することが困難な場合がある。それは、入射した太陽光のディスプレイ表面における反射光の強度が強いため、当該反射光と背面照光とが相殺されてしまうことが原因として挙げられる。
【０００４】
この視認性の劣化を改善するには、背面照光の照光強度を上げる必要がある。
【０００５】
その１つの手段として、照光を行う照光部に大きな電力を供給することが考えられる。
【０００６】
しかしながら、この場合、照光部における電力消費が増加するため、低消費電力化が困難となり、電池駆動時間が低下してしまう。
【０００７】
そこで、携帯情報端末に太陽電池を設け、太陽電池で発電した電力を用いて情報を表示する技術が考えられている（例えば、特許文献１参照。）。
【先行技術文献】
【特許文献】
【０００８】
【特許文献１】特開２００５−１０９２９５号公報
【発明の概要】
【発明が解決しようとする課題】
【０００９】
しかしながら、特許文献１に記載されたような技術においては、主電源となる電源からの供給電力についても制御しなければならないという問題点がある。
【００１０】
本発明の目的は、上述した課題を解決する表示装置、表示方法およびプログラムを提供することである。
【課題を解決するための手段】
【００１１】
本発明の表示装置は、
情報を表示する表示装置であって、
背面からの照光により前記情報を表示する表示部と、
当該表示装置へ電力を供給する主電源部と、
当該表示装置への入射光の照度を測定する照度センサと、
前記入射光によって光発電する光発電部と、
前記表示部の背面から当該表示装置の外部へ向けて照光する照光部と、
前記照度センサが測定した照度があらかじめ設定された閾値を超えた場合、前記主電源部が供給する電力に加えて、前記光発電部が光発電した電力を前記照光部へ供給する給電制御部とを有し、
前記照光部は、前記給電制御部から供給された電力を用いて前記照光を行う。
【００１２】
また、本発明の表示方法は、
装置に搭載されたディスプレイに情報を表示する表示方法であって、
当該装置への入射光の照度を測定する処理と、
前記入射光によって光発電する処理と、
前記測定した照度とあらかじめ設定された閾値とを比較する処理と、
前記測定した照度が前記閾値を超えた場合、前記装置に搭載された電源が供給する電力に加えて、前記光発電した電力を用いて、前記ディスプレイの背面から前記装置の外部へ向けて照光する処理と、
前記ディスプレイの背面からの照光により前記情報を表示する処理とを行う。
【００１３】
また、本発明のプログラムは、
ディスプレイが搭載された装置に実行させるためのプログラムであって、
当該装置への入射光の照度を測定する手順と、
前記入射光によって光発電する手順と、
前記測定した照度とあらかじめ設定された閾値とを比較する手順と、
前記測定した照度が前記閾値を超えた場合、前記装置に搭載された電源が供給する電力に加えて、前記光発電した電力を用いて、前記ディスプレイの背面から前記装置の外部へ向けて照光する手順と、
前記ディスプレイの背面からの照光により情報を表示する手順とを実行させる。
【発明の効果】
【００１４】
以上説明したように、本発明においては、表示された情報の視認性の劣化を容易に避けることができる。
【図面の簡単な説明】
【００１５】
【図１】本発明の表示装置の実施の一形態を示す図である。
【図２】図１に示した携帯通信装置の外観の一例を示す図である。
【図３】図２に示した携帯通信装置のＡ−Ｂにおける断面図である。
【図４】図１に示した携帯通信装置における表示方法の一例を説明するためのフローチャートである。
【図５】図１に示した携帯通信装置における表示方法の他の例を説明するためのフローチャートである。
【発明を実施するための形態】
【００１６】
以下に、本発明の実施の形態について図面を参照して説明する。
【００１７】
図１は、本発明の表示装置の実施の一形態を示す図である。図１に示した形態においては、本発明の表示装置が、携帯可能な携帯通信装置である場合を例に挙げて示す。
【００１８】
本形態における携帯通信装置１００には図１に示すように、表示部１１０と、主電源部１２０と、照度センサ１３０と、光発電部１４０と、照光部１５０と、給電制御部１６０とが設けられている。なお、図１には、携帯通信装置１００の構成要素のうち、本発明に係わるもののみを示した。
【００１９】
表示部１１０は、背面からの照光により情報を表示するバックライト式のディスプレイである。
【００２０】
主電源部１２０は、携帯通信装置１００の各構成要素へ電力を供給する。主電源部１２０は、一般的には、充電（蓄電）可能な二次電池（蓄電池）が用いられる。また、主電源部１２０は、当該電力を給電制御部１６０へ出力する。
【００２１】
照度センサ１３０は、携帯通信装置１００へ入射する太陽光等の入射光の照度（強度）を測定する。また、照度センサ１３０は、測定した照度を給電制御部１６０へ通知する。
【００２２】
光発電部１４０は、携帯通信装置１００へ入射する太陽光等の入射光を電力へ変換することで光発電を実現する光発電素子である。また、光発電部１４０は、光発電した電力を給電制御部１６０へ出力する。
【００２３】
照光部１５０は、表示部１１０の背面（裏面）から携帯通信装置１００の外部へ向けて照光する。このとき、照光部１５０は、給電制御部１６０から供給された電力を用いて照光を行う。
【００２４】
給電制御部１６０は、主電源部１２０から供給される電力を照光部１５０へ供給する。また、給電制御部１６０は、照度センサ１３０から通知されてきた照度とあらかじめ設定された閾値とを比較する。そして、給電制御部１６０は、照度センサ１３０から通知されてきた照度があらかじめ設定された閾値を超えた場合、主電源部１２０から出力されてきた電力に加えて、光発電部１４０から出力されてきた電力を照光部１５０へ供給する。なお、この閾値は、携帯通信装置１００に設けられている記憶素子（メモリ）にあらかじめ記憶されているものである。
【００２５】
また、給電制御部１６０は、光発電部１４０が光発電した電力のうち、照度センサ１３０が測定した照度に応じた電力を照光部１５０へ供給するものであっても良い。
【００２６】
図２は、図１に示した携帯通信装置１００の外観の一例を示す図である。
【００２７】
図１に示した携帯通信装置１００の外観は図２に示すように、携帯通信装置１００に光発電部１４０と、照光部１５０と、表示部１１０と、照度センサ１３０と、給電制御部１６０と、主電源部１２０とが搭載されている。また、照光部１５０は、表示部１１０の背面に搭載されている。なお、図２では、各構成要素が携帯通信装置１００から突出しているように示しているが、これは説明の便宜上の表示であって、実際の構造を示すものではない。
【００２８】
図３は、図２に示した携帯通信装置１００のＡ−Ｂにおける断面図である。
【００２９】
図３に示すように、表示部１１０の背面に照光部１５０が設けられている。
【００３０】
また、光発電部１４０には、入射光２００が入射し、その入射光２００を電力へ変換することで光発電を実現する。
【００３１】
また、照度センサ１３０にも、入射光２００が入射し、照度センサ１３０は、その入射光２００の照度（強度）を測定する。
【００３２】
また、表示部１１０にも入射光２００が入射するが、それが表示部１１０にて反射光２１０として反射する。入射光２００の照度（強度）が大きな場合、この反射光２１０の照度（強度）も大きくなり、携帯通信装置１００の使用者が表示部１１０に表示されている情報を視認することが困難になる。
【００３３】
また、照光部１５０によって照光された背面照光２２０が、表示部１１０の背面（裏面）から携帯通信装置１００の外部へ向けて照光されて、透過光２３０となって表示部１１０の表面から出力される。この透過光２３０によって、携帯通信装置１００の使用者は、表示部１１０に表示された情報を視認することができる。
【００３４】
以下に、本形態における表示方法について説明する。
【００３５】
図４は、図１に示した携帯通信装置１００における表示方法の一例を説明するためのフローチャートである。
【００３６】
まず、主電源部１２０からの電力が給電制御部１６０から照光部１５０へ供給され、照光部１５０によって当該電力を用いて表示部１１０への背面照光が行われている。
【００３７】
また、照度センサ１３０によって、携帯通信装置１００への入射光の照度（強度）が測定される（ステップＳ１）。測定された照度は、照度センサ１３０から給電制御部１６０へ通知される。
【００３８】
すると、給電制御部１６０によって、照度センサ１３０から通知されてきた照度と、あらかじめ設定されている照度（閾値）とが比較される（ステップＳ２）。
【００３９】
比較の結果、照度センサ１３０から通知されてきた照度が閾値を超えていない場合、当該比較が続けられる。
【００４０】
一方、比較の結果、照度センサ１３０から通知されてきた照度が閾値を超えている場合、給電制御部１６０によって、主電源部１２０から出力されてきた電力（第１の電力）に加えて、光発電部１４０から出力されてきた電力（第２の電力）が照光部１５０へ供給される（ステップＳ３）。
【００４１】
そして、照光部１５０によって第１の電力および第２の電力を用いて照光が行われる。
【００４２】
なお、上述したように、給電制御部１６０は、光発電部１４０が光発電した電力すべてを照光部１５０へ供給するのではなく、照度センサ１３０が測定した照度に応じた電力を照光部１５０へ供給するものであっても良い。
【００４３】
また、図１に示した主電源部１２０が二次電池（蓄電池）であれば、充電（蓄電）が可能であるため、光発電部１４０が光発電した電力のうちの余剰電力を主電源部１２０に蓄電するものであっても良い。
【００４４】
図５は、図１に示した携帯通信装置１００における表示方法の他の例を説明するためのフローチャートである。
【００４５】
まず、主電源部１２０からの電力が給電制御部１６０から照光部１５０へ供給され、照光部１５０によって当該電力を用いて表示部１１０への背面照光が行われている。
【００４６】
また、照度センサ１３０によって、携帯通信装置１００への入射光の照度（強度）が測定される（ステップＳ１１）。測定された照度は、照度センサ１３０から給電制御部１６０へ通知される。
【００４７】
すると、給電制御部１６０によって、照度センサ１３０から通知されてきた照度と、あらかじめ設定されている照度（閾値）とが比較される（ステップＳ１２）。
【００４８】
比較の結果、照度センサ１３０から通知されてきた照度が閾値を超えていない場合、当該比較が続けられる。
【００４９】
一方、比較の結果、照度センサ１３０から通知されてきた照度が閾値を超えている場合、給電制御部１６０によって、主電源部１２０から出力されてきた電力（第１の電力）に加えて、光発電部１４０から出力されてきた電力（第２の電力）が照光部１５０へ供給される（ステップＳ１３）。このとき、照度センサ１３０が測定した照度に応じた電力が、給電制御部１６０から照光部１５０へ供給される。
【００５０】
すると、給電制御部１６０によって、余剰電力があるかどうか、つまり、光発電部１４０から出力されてきた電力すべてが照光部１５０へ供給されたかどうかが判別される（ステップＳ１４）。
【００５１】
余剰電力がないと判別された場合、つまり、光発電部１４０から出力されてきた電力すべてが照光部１５０へ供給されたと判別された場合、ステップＳ１２の処理が行われる。
【００５２】
一方、余剰電力があると判別された場合、つまり、光発電部１４０から出力されてきた電力の一部が照光部１５０へ供給されていないと判別された場合、供給しなかった残りの電力が給電制御部１６０から主電源部１２０へ蓄電される（ステップＳ１５）。
【００５３】
また、表示部１１０が情報を表示していない場合、光発電部１４０から出力されてきた電力を照光部１５０へ供給せずに、主電源部１２０へ蓄電するものであっても良い。
【００５４】
このように、本発明においては、本来、視認性を劣化させていた入射光を光発電部１４０（光発電素子）により照光部１５０の電力源として使用することにより、画面視認性の劣化を避けることが可能となる。
【００５５】
また、表示部１１０における画面を非表示とする場合の余剰電力の利用により、利用者による外部充電回数の削減が可能となり利便性の向上効果が得られる。
【００５６】
上述した携帯通信装置１００に設けられた各構成要素が行う処理は、目的に応じてそれぞれ作製された論理回路で行うようにしても良い。また、処理内容を手順として記述したコンピュータプログラム（以下、プログラムと称する）を携帯通信装置１００にて読取可能な記録媒体に記録し、この記録媒体に記録されたプログラムを携帯通信装置１００に読み込ませ、実行するものであっても良い。携帯通信装置１００にて読取可能な記録媒体とは、フロッピー（登録商標）ディスク、光磁気ディスク、ＤＶＤ、ＣＤなどの移設可能な記録媒体の他、携帯通信装置１００に内蔵されたＲＯＭ、ＲＡＭ等のメモリやＨＤＤ等を指す。この記録媒体に記録されたプログラムは、携帯通信装置１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５７】
１００    携帯通信装置
１１０    表示部
１２０    主電源部
１３０    照度センサ
１４０    光発電部
１５０    照光部
１６０    給電制御部
２００    入射光
２１０    反射光
２２０    背面照光
２３０    透過光
【図１】
2012058460.tif 000003
【図２】
2012058460.tif 000004
【図３】
2012058460.tif 000005
【図４】
2012058460.tif 000006
【図５】
2012058460.tif 000007